【手続補正書】
【提出日】平成23年12月9日(2011.12.9)
【手続補正１】
【補正対象書類名】特許請求の範囲
【補正対象項目名】全文
【補正方法】変更
【補正の内容】
【特許請求の範囲】
【請求項１】
動画撮影処理中に静止画を撮影することのできるカメラで撮影された画像を再生表示する動画・静止画再生装置において、
動画を再生して表示部に表示するよう制御する動画再生制御手段と、
前記表示部に、前記動画のうち所定の範囲の時間の長さを示すタイムラインを表示し、該動画の撮影処理中に撮影された静止画のサムネイル画像を、該タイムライン上のどの位置のタイミングで撮影されたか識別可能に表示するよう制御する表示制御手段と、
を有することを特徴とする動画・静止画再生装置。
【請求項２】
前記動画撮影処理中に静止画が撮影された動画ファイル中に、該静止画を撮影したことを示すマーキングを記録すると共に、該マーキングの名称と該動画ファイルの名称とを含むファイル名で該静止画を記録するよう制御する記録制御手段を更に有することを特徴とする請求項１記載の動画・静止画再生装置。
【請求項３】
前記マーキングは、マーキング順序、マーキング位置を示す情報を含むことを特徴とする請求項２記載の動画・静止画再生装置。
【請求項４】
前記表示制御手段は、前記動画撮影処理中に撮影された静止画が所定枚数以上ある場合、前記タイムラインを特定の範囲毎に分割して表示させるよう制御することを特徴とする請求項第１乃至３のいずれか１項に記載の動画・静止画再生装置。
【請求項５】
前記表示制御手段は、前記動画撮影中に撮影された前記静止画が所定枚数以上ある場合、前記タイムラインの特定の範囲を拡大表示させるよう制御することを特徴とする請求項１乃至３のいずれか１項に記載の動画・静止画再生装置。
【請求項６】
前記表示制御手段は、前記動画撮影処理中に撮影された静止画が連写モードで複数枚撮影されていた場合、撮影された前記静止画像のうちいずれか１枚を前記サムネイル画像として表示させると共に、連写画像であることが特定できる表示をするよう制御することを特徴とする請求項１乃至４のいずれか１項に記載の動画・静止画再生装置。
【請求項７】
前記表示制御手段は、前記動画撮影処理中に撮影された静止画が連写モードで複数枚撮影されていた場合、連写撮影された前記静止画像のうちいずれか１枚を前記サムネイル画像として表示させると共に、連写撮影枚数が特定できる表示をするよう制御することを特徴とする請求項１乃至４のいずれか１項に記載の動画・静止画再生装置。
【請求項８】
前記表示制御手段は、前記動画撮影処理中に撮影された静止画が連写モードで複数枚撮影されていた場合、動画再生時に連写撮影のタイミング近傍に来ると連写撮影時間分の前記タイムラインを拡大表示させると共に、前記連写撮影した前記静止画像の前記サムネイル画像を展開表示させることを特徴とする請求項７記載の動画・静止画再生装置。
【請求項９】
前記表示制御手段は、前記サムネイル画像を選択すると、前記サムネイル画像が表示されている前記静止画が撮影された時点の前記動画から再生を開始することを特徴とする請求項１乃至８のいずれか１項に記載の動画・静止画再生装置。
【請求項１０】
前記タイムラインは、前記動画のうち所定の範囲の時間の長さとともに撮影時刻を示すことを特徴とする請求項１乃至９のいずれか１項に記載の動画・静止画再生装置。
【請求項１１】
前記表示制御手段は、前記動画の再生の進行に応じて、重ねて表示された複数のサムネイル画像のうち、該動画の再生位置より前の位置で撮影された静止画のサムネイル画像よりも、該動画の再生位置より後で、該再生位置に最も近い位置で撮影された静止画のサムネイル画像の方が上になるように表示するように制御することを特徴とする請求項１乃至１０のいずれか１項に記載の動画・静止画再生装置。
【請求項１２】
動画撮影処理中に静止画を撮影することのできるカメラで撮影された画像を再生表示する動画・静止画再生装置の制御方法であって、
動画を再生して表示部に表示するよう制御する動画再生制御ステップと、
前記表示部に、前記動画のうち所定の範囲の時間の長さを示すタイムラインを表示し、該動画の撮影処理中に撮影された静止画のサムネイル画像を、該タイムライン上のどの位置のタイミングで撮影されたか識別可能に表示するよう制御する表示制御ステップと
を有することを特徴とする動画・静止画再生装置の制御方法。
【請求項１３】
動画撮影処理中に静止画を撮影することのできるカメラで撮影された画像を再生表示するコンピュータを、
動画を再生して表示部に表示するよう制御する動画再生制御手段、
前記表示部に、前記動画のうち所定の範囲の時間の長さを示すタイムラインを表示し、該動画の撮影処理中に撮影された静止画のサムネイル画像を、該タイムライン上のどの位置のタイミングで撮影されたか識別可能に表示するよう制御する表示制御手段、
として機能させるためのプログラム。
【請求項１４】
動画撮影処理中に静止画を撮影することのできるカメラで撮影された画像を再生表示するコンピュータを、
動画を再生して表示部に表示するよう制御する動画再生制御手段、
前記表示部に、前記動画のうち所定の範囲の時間の長さを示すタイムラインを表示し、該動画の撮影処理中に撮影された静止画のサムネイル画像を、該タイムライン上のどの位置のタイミングで撮影されたか識別可能に表示するよう制御する表示制御手段、
として機能させるためのプログラムを記録したコンピュータが読み取り可能な記憶媒体。
【手続補正２】
【補正対象書類名】明細書
【補正対象項目名】００２６
【補正方法】変更
【補正の内容】
【００２６】
上記目的を達成するために、本発明の動画・静止画再生装置の制御方法は、動画撮影処理中に静止画を撮影することのできるカメラで撮影された画像を再生表示する動画・静止画再生装置の制御方法であって、動画を再生して表示部に表示するよう制御する動画再生制御ステップと、前記表示部に、前記動画のうち所定の範囲の時間の長さを示すタイムラインを表示し、該動画の撮影処理中に撮影された静止画のサムネイル画像を、該タイムライン上のどの位置のタイミングで撮影されたか識別可能に表示するよう制御する表示制御ステップとを有することを特徴とする。
【手続補正３】
【補正対象書類名】明細書
【補正対象項目名】００２７
【補正方法】変更
【補正の内容】
【００２７】
上記目的を達成するために、本発明のプログラムは、動画撮影処理中に静止画を撮影することのできるカメラで撮影された画像を再生表示するコンピュータを、動画を再生して表示部に表示するよう制御する動画再生制御手段、前記表示部に、前記動画のうち所定の範囲の時間の長さを示すタイムラインを表示し、該動画の撮影処理中に撮影された静止画のサムネイル画像を、該タイムライン上のどの位置のタイミングで撮影されたか識別可能に表示するよう制御する表示制御手段として機能させる。
【手続補正４】
【補正対象書類名】明細書
【補正対象項目名】００２８
【補正方法】変更
【補正の内容】
【００２８】
上記目的を達成するために、本発明のコンピュータが読み取り可能な記憶媒体は、動画撮影処理中に静止画を撮影することのできるカメラで撮影された画像を再生表示するコンピュータを、動画を再生して表示部に表示するよう制御する動画再生制御手段、前記表示部に、前記動画のうち所定の範囲の時間の長さを示すタイムラインを表示し、該動画の撮影処理中に撮影された静止画のサムネイル画像を、該タイムライン上のどの位置のタイミングで撮影されたか識別可能に表示するよう制御する表示制御手段として機能させるためのプログラムを記録した。